(57)【要約】【課題】本発明は、花の状態を保つと共に塵が目立たない容器に関する。【解決手段】本実施形態の容器１は、少なくとも花を含む装飾物が収納された透明又は半透明の袋状の本体部（１０）と、前記本体部に形成され、前記装飾物を収容する収容口（２０）と、前記収容口を封止する封止部（２１）と、前記本体部に形成され、前記本体部に注入する気体の注入部（３０）と、前記注入部に形成され、前記注入した気体の逆流を防止する逆流防止弁（３３）と、前記本体部に配設され、前記本体部の一部を遮蔽する遮蔽部（４０）とを備えている。容器１は、収容された花に埃、塵、結露が付くことがなく手入れが容易であり、遮蔽部（４０）にドライフラワーの花弁や葉等が崩れてできた塵が隠されるため、部屋の掃除が軽減される。容器１は、ドライフラワーを密封した透明な袋に入れた状態で様々な場所に取り付けることができ、どこでも鑑賞することができる。【選択図】図１
2020186011.tif 000002
【特許請求の範囲】
【請求項１】
少なくとも花を含む装飾物が収納された透明又は半透明の袋状の本体部（１０）と、
前記本体部に形成され、前記装飾物を収容する収容口（２０）と、
前記収容口を封止する封止部（２１）と、
前記本体部に配置され、前記本体部に注入する気体の注入部（３０）と、
前記注入部に形成され、前記注入した気体の逆流を防止する逆流防止弁（３３）と、
前記本体部に配設され、前記本体部の一部を遮蔽する遮蔽部（４０）と
を備えることを特徴とする容器。
【請求項２】
請求項１に記載された容器であって、
前記本体部（１０）は、前記本体部の一方の側に前記収容口（２０）が形成され、前記本体部の他方の側に前記注入部（３０）が配置され、
前記遮蔽部は、前記本体部の他方の側に配置され、前記本体部の側面の全部又は一部を覆うように配置され、前記注入部を挿通するための貫通孔（４０ｈ）が形成されている
ことを特徴とする容器。
【請求項３】
請求項２に記載された容器であって、
前記花は、花弁側が前記収容口側に、茎側が前記注入部側に配置されている
ことを特徴とする容器。
【請求項４】
請求項３に記載された容器であって、
前記本体部に形成され、前記本体部を被取付部に留める取付部（５０）と
を備えることを特徴とする容器。
【請求項５】
請求項１〜４のいずれか１項に記載された容器であって、
前記封止部は、前記収容口を熱圧着により封止する
ことを特徴とする容器。
【請求項６】
透明又は半透明の袋状の本体部に、前記本体部の一部を遮蔽する遮蔽部を収容する工程と、
前記本体部に少なくとも花を含む装飾物を収容する工程と、
前記本体部に形成された収容口を封止する工程と、
前記本体部に形成され、気体の逆流を防止する逆流防止弁が形成された注入部から気体を注入する工程と
を備える容器の製造方法。
【発明の詳細な説明】
【技術分野】
【０００１】
本発明は、容器に関する。さらに詳しく説明すると、本発明は、例えば花の状態を保つと共に塵が目立たない容器に関する。
【背景技術】
【０００２】
ドライフラワーは、花を長く観賞するため乾燥して製造されるものであり、これを室内に置いたり、吊下げる等して飾って楽しむことが行われている。室内に置かれたドライフラワーは、塵や埃の付着、結露の付着が原因でカビが生えること等がある。乾燥されたドライフラワーは、崩れやすくそのままの状態で飾っておくと、花弁や葉等が崩れて塵になってしまい、部屋の清掃が必要になる。
【０００３】
このよう問題に対処するため、長期間花を維持させて外観を楽しむことができる植物観賞用ケースの技術が提案されている（例えば、特許文献１参照）。また、内部に生花や観葉植物などの天然植物又は造花などの人工植物を収納する植物用収容容器の技術が提案されている（例えば、特許文献２参照）。さらに、鉢植え植物を収容する開閉自在に二つ割り形成した透視質製のパッケージの技術が提案されている（例えば、特許文献３参照）。
【０００４】
しかし、特許文献１の植物観賞用ケースは、一定の重量があるため、飾る場所が限定されてしまう問題がある。特許文献２の植物収容容器や特許文献３の鉢植え植物のパッケージは、部品点数が多く、取り扱いが複雑である。また、時間が経過し、劣化により崩れてしまった花の塵が底にたまってしまい、意匠性が良くないという問題もある。
【先行技術文献】
【特許文献】
【０００５】
【特許文献１】特開平６−１２７５８７号公報
【特許文献２】特開２００６−２０２３０号公報
【特許文献３】特開平７年−１１５８６０号公報
【発明の概要】
【発明が解決しようとする課題】
【０００６】
本発明は、このような社会的、技術的背景に基づいたものであり、次のような目的を達成する。
本発明は、収容した花の意匠性を保つ容器を提供することを目的とする。
【課題を解決するための手段】
【０００７】
本発明は、前記目的を達成するために次の手段をとる。
（１）本発明１の容器は、少なくとも花を含む装飾物が収納された透明又は半透明の袋状の本体部（１０）と、前記本体部に形成され、前記装飾物を収容する収容口（２０）と、前記収容口を封止する封止部（２１）と、前記本体部に配置され、前記本体部に注入する気体の注入部（３０）と、前記注入部に形成され、前記注入した気体の逆流を防止する逆流防止弁（３３）と、前記本体部に配設され、前記本体部の一部を遮蔽する遮蔽部（４０）とを備えることを特徴とする。
（２）本発明２の容器は、本発明１であって、前記本体部（１０）は、前記本体部の一方の側に収容口（２０）が形成され、前記本体部の他方の側に注入部（３０）が配置され、前記遮蔽部は、前記本体部の他方の側に配置され、前記本体部の側面の全部又は一部を覆うように配置され、前記注入部を挿通するための貫通孔（４０ｈ）が形成されていることを特徴とする。
（３）本発明３の容器は、本発明２であって、前記花は、花弁側が収容口側に、茎側が前記注入部側に配置されている前記本体部に形成され、前記本体部を被取付部に留める取付部（５０）とことを特徴とする。
（４）本発明４の容器は、本発明１〜３のいずれかであって、前記本体部に形成され、前記本体部を被取付部に留める取付部（５０）とを備えることを特徴とする。
（５）本発明５の容器は、本発明１〜４のいずれかであって、前記封止部は、前記収容口を熱圧着により封止することを特徴とする。
（６）本発明６の容器の製造方法は、透明又は半透明の袋状の本体部に、前記本体部の一部を遮蔽する遮蔽部を収容する工程と、前記本体部に少なくとも花を含む装飾物を収容する工程と、前記本体部に形成された収容口を封止する工程と、前記本体部に形成され、気体の逆流を防止する逆流防止弁が形成された注入部から気体を注入する工程とを備えることを特徴とする。
【発明の効果】
【０００８】
以上説明したように、本発明は、遮蔽部が本体部の一部を遮蔽するため、収容した花の意匠性を保つ容器を提供することができる。
【図面の簡単な説明】
【０００９】
【図１】本実施形態１の容器１を示す外観図である。
【図２】容器１を組み立てる前の状態を示す図である。
【図３】容器１を製造する工程を示す図である。
【図４】他の実施形態の容器１を示す外観図である。
【発明を実施するための形態】
【００１０】
以下、本発明の容器について、ドライフラワーを入れた場合の実施形態を例に、図１〜図３を参照して詳細に説明する。
（１）実施形態の概要
本実施形態の容器１は、少なくとも花を含む装飾物が収納された透明又は半透明の袋状の本体部（１０）と、前記本体部に形成され、前記装飾物を収容する収容口（２０）と、前記収容口を封止する封止部（２１）と、前記本体部に形成され、前記本体部に注入する気体の注入部（３０）と、前記注入部に形成され、前記注入した気体の逆流を防止する逆流防止弁（３３）と、前記本体部に配設され、前記本体部の一部を遮蔽する遮蔽部（４０）とを備えている。容器１は、収容された花に埃、塵、結露が付くことがなく手入れが容易であり、遮蔽部（４０）にドライフラワーの花弁や葉等が崩れてできた塵が隠されるため、部屋の掃除が軽減される。容器１は、ドライフラワーを密封した透明な袋に入れた状態で様々な場所に取り付けることができ、どこでも鑑賞することができる。
【００１１】
（２）実施形態の詳細
〔第一実施形態〕
本発明の第一実施形態を図面に基づいて詳細に説明する。図１は、容器１にドライフラワーを入れた外観図である。図２は、容器１を組み立てる前の状態を示す図である。容器１は、例えば、ドライフラワー等を収容して飾っておくための入れ物である。本発明の第一実施形態の容器１は、本体部１０、収容口２０、注入部３０、遮蔽部４０、取付部５０、ラベル部６０及び留具７０とから構成されている。
【００１２】
〔本体部１０〕
本体部１０は、ドライフラワーＦを収容する入れ物である。図２に示すように、本体部１０は、内部が透けて見えるように透明又は半透明の軟質な袋状の部材である。本体部１０は、短辺と長辺を有する細長い長方形状に形成されている。本体部１０は、一の短辺に開口した収容口２０が形成され、他の短辺と２つの長辺が閉じられた袋状に形成されている。本体部１０は、他の短辺に注入部３０が配設されている。つまり、本体部１０は、長方形状の一方の側に収容口２０が形成され、他方の側に注入部３０が配設されている。本体部１０は、細長い筒状のフィルムの他の短辺に注入部３０を挟んだ状態で、他の短辺を溶着して製造されている。
【００１３】
本体部１０は、内部に空気を注入することで、細長いチューブ状になるように形成されている。本体部１０は、ポリエチレン、ナイロン及びポリエチレンの３層のフィルムを貼り合わせてつくられており、外部からの品質低下を招く要因を遮断するバリア性が高い袋である。本体部１０は、例えば、共押し出し方法で形成されているが、ガスバリア性が高ければ、他の材料、他の方法で製造されていても良い。
【００１４】
〔収容口２０〕
収容口２０は、本体部１０内に収容物を収容するための口である。図２に示すように、収容口２０は、本体部１０の一の短辺側（以下、「入口側」という。）に形成され、本体部１０の他の短辺側（以下、「底側」という。）に形成された注入部３０とは所定の距離だけ離されるように配置されている。収容口２０には、封止部２１が形成されている。封止部２１は、遮蔽部４０とドライフラワーＦを本体部１０の中に収容した後で、収容口２０を封止した部分である。本例において、封止部２１は、収容口２０に対して、所定の時間だけ、所定の温度の熱で所定の圧力をかけて熱圧着で本体部１０を溶着して、収容口２０を閉じた部分である。
【００１５】
〔注入部３０〕
注入部３０は、本体部１０内に空気を注入するための部分である。図１に示すように、注入部３０は、長方形状の本体部１０の底側に形成され、本体部１０の入口側に形成された収容口２０とは所定の距離だけ離されるように配置されている。図２に示すように、注入部３０は、本体部１０の底側を跨ぐように配置され、中空な長方形状に形成されている。注入部３０は、２枚の長方形状のフィルムを重ねあわせて、両長辺側の貼着部３０ｓで貼りあわせて形成されている。注入部３０は、外側注入部３１、内側注入部３２及び逆流防止弁３３とから構成されている。注入部３０は、一の短辺から他の短辺にかけて貫通する中空部３０ｈが形成されている。
【００１６】
中空部３０ｈは、本体部１０内に空気を注入するための貫通孔である。中空部３０ｈは、外側注入部３１、内側注入部３２及び逆流防止弁３３を挿通している。外側注入部３１、内側注入部３２及び逆流防止弁３３は、ノズルが挿通するとき以外は、これらの部材であるフィルムが密着しているため、中空部３０ｈが閉じて空気が通らない。外側注入部３１は、空気を入れるノズルを本体部１０の外側から差し込むための部分である。外側注入部３１は、本体部１０の底側から外側に突出するように配置されている。外側注入部３１の中空部３０ｈは、ノズルを挿通し易いように、ノズルの径より広く形成されている。
【００１７】
内側注入部３２は、空気を入れるノズルを本体部１０の内側に差し込むための部分である。内側注入部３２は、本体部１０の底側から内側に突出するように配置されている。内側注入部３２の中空部３０ｈは、ノズルを挿通し易いように、鏃の形状に形成されている。逆流防止弁３３は、本体部１０内に注入した空気の逆流を防ぐ弁である。つまり、逆流防止弁３３は、本体部１０内への空気の注入をすることはできるが、本体部１０から注入部３０を通じて外側へ空気が流れないようにする弁である。逆流防止弁３３は、外側注入部３１と内側注入部３２の間に配置されている。逆流防止弁３３の中空部３０ｈは、本体部１０に注入された空気の逆流を防ぐために、外側注入部３１の中空部３０ｈの径より狭く形成されている。
【００１８】
〔遮蔽部４０〕
遮蔽部４０は、本体部１０内に収容されたドライフラワーＦの花弁や葉等が崩れて生じた塵を隠すための部材である。図１に示すように、遮蔽部４０は、長方形状の本体部１０の底側に配置され、本体部１０の入口側に形成された収容口２０とは所定の距離だけ離されるように配置されている。遮蔽部４０は、図２に示すように１枚の厚紙で形成され、図１に示すように折りたたんだ状態で使用される。遮蔽部４０は、折り畳んだ状態で、表面側に配置される表面遮蔽部４１が長方形状に形成され、背面側に配置される背面遮蔽部４２が台形形状に形成される。表面遮蔽部４１と背面遮蔽部４２とは、内側注入部３２を隠せる寸法に形成されている。表面遮蔽部４１と背面遮蔽部４２の境目である折れ線部分には、内側注入部３２を挿通するための貫通孔４０ｈが形成されている。
【００１９】
〔取付部５０〕
取付部５０は、例えば、壁に引っかけて留めておくための部材である。図１に示すように、本例の取付部５０は、本体部１０の入口側に配置され、壁等に取り付けられた被取付部（フックｈ等）の器具に引っかけることができるリボンである。取付部５０は、図２に示すように１本のリボンで形成され、図１に示すようにラベル部６０と共に留具７０で本体部１０に取り付けられる。
【００２０】
〔ラベル部６０〕
ラベル部６０は、本体部１０の入口側に取り付けて、名称、内容物、番号等、その物に関連する情報を記載する部材である。図１に示すように、本例のラベル部６０は、本体部１０の入口側に配置され、商品名を示す。ラベル部６０は、図２に示すように１枚の厚紙で形成され、図１に示すように取付部５０と共に留具７０で本体部１０に取り付けられている。留具７０は、取付部５０を本体部１０に固定するための割ピン等の金具である。
【００２１】
〔容器１の製造工程〕
図３は、容器１を製造する工程を示す図である。まず、ドライフラワーＦを本体部１０に入る量や長さに調整する。複数のドライフラワーＦを束ねて本体部１０に入れる場合には、茎の下側の部分を粘着テープ等でしっかりと止める。遮蔽部４０を折りたたんで、必要な情報（会社情報等）が記載されたシール等を表面遮蔽部４１及び／又は背面遮蔽部４２に貼る。図３（ａ）に示すように、本体部１０の収容口２０から遮蔽部４０を入れて、本体部１０の底側に配置する。このとき、内側注入部３２を遮蔽部４０の貫通孔４０ｈに挿通する。つまり、内側注入部３２が、表面遮蔽部４１と背面遮蔽部４２に挟まれるように配置され、外側からは見えなくなる。
【００２２】
本体部１０の収容口２０からドライフラワーＦを茎側から入れて、本体部１０の底側にドライフラワーＦの茎側を配置する。このとき、茎の下側の粘着テープ等でとめた部分を、表面遮蔽部４１と背面遮蔽部４２に挟まれるように配置する。図３（ｂ）に示すように、本体部１０に遮蔽部４０とドライフラワーＦを収容した後に、本体部１０の収容口２０を溶着して封止部２１で封止する。本例においては、封止部２１は、本体部１０の入口側から４ｃｍ程度のところで、所定の時間（例えば１２秒）で所定の温度の熱で所定の圧力をかけて、本体部１０を溶着して収容口２０を閉じる。なお、封止部２１で封止する際には、留具７０として使用する割ピンの穴の位置を考慮する。
【００２３】
図３（ｃ）に示すように、本体部１０の収容口２０を封止部２１で封止した後に、注入部３０から空気を注入する。まず、エアコンプレッサＡのノズルＮを外側注入部３１の中空部３０ｈに差し込む。差し込んだノズルをさらに挿通させ、逆流防止弁３３の中空部３０ｈを挿通し、内側注入部３２の中空部３０ｈを挿通する。ノズルＮが内側注入部３２から飛び出した状態で、エアコンプレッサＡを作動させて空気を本体部１０に注入する。このとき、遮蔽部４０が飛ばないように遮蔽部４０を押さえた状態で、空気を注入する。また、ノズルＮを花弁に向けないように注意をしながら空気を注入する。
【００２４】
ドライフラワーＦは、花弁が本体部１０の入口側に配置され、茎が本体部１０の底側に配置されているため、ノズルからふき出す空気が直接花弁にあたらない。本体部１０が膨らんだら、ノズルを内側注入部３２の中空部３０ｈ、逆流防止弁３３の中空部３０ｈ及び外側注入部３１の中空部３０ｈから抜き去る。外側注入部３１、内側注入部３２及び逆流防止弁３３は、ノズルが抜き取られると、これらの部材であるフィルムが密着するため、中空部３０ｈが閉じて空気が抜けなくなる。つまり、本体部１０は、ドライフラワーＦが配置された状態で、膨らんだ状態が保たれる。本体部１０内に空気が注入されると、遮蔽部４０は、膨らんだ本体部１０の側面の全部又は一部を覆うように配置される。図３（ｄ）に示すように、本体部１０を膨らませた後に、収容口２０に取付部５０、ラベル部６０を留具７０で取り付ける。
【００２５】
以上説明したように、本実施形態の容器１によれば、遮蔽部４０が本体部１０の一部を遮蔽するため、収容した花の意匠性を保つ容器を提供することができる。すなわち、容器１は、収容された花に埃、塵、結露が付くことなく手入れが容易であり、遮蔽部（４０）にドライフラワーの花弁や葉等が崩れてできた塵が隠されるため、部屋の掃除が軽減される。容器１は、ドライフラワーを密封した透明な袋に入れた状態で様々な場所に取り付けることができ、どこでも鑑賞することができる。
【００２６】
以上、本発明の実施の形態の説明を行ったが、本発明は、この実施の形態に限定されることはなく、本発明の目的、趣旨を逸脱しない範囲内で変更ができる。例えば、本体部１０は、オレフィン系フィルム等で製造されていても良い。本体部１０は、数種類のフィルムを別々に製造し、それを貼り合わせ、その後、製袋するナミネート方法で製造されても良い。本例において、収容口２０は、溶着により封止部２１で密封しているが、手で開閉できるチャック等でも良い。
【００２７】
遮蔽部４０は、塵などを遮蔽できるならばどのような形状でも良く、例えば、有底のカップ形状その他の形状に形成されたものでも良い。本例において、取付部５０は、壁などに取り付けられたフックｈに引っかけられるリボンであるが、他のものでも良い。例えば、テーブルなどに置いて飾る場合には、本体部１０を入れることができる円筒状のカップ等を取付部５０や遮蔽部４０として使用しても良い。容器１は、袋状の本体部１０に空気をいれて製造されているため非常に軽い。このため、例えば、本体部１０を直接壁に取り付けるため、取付部５０を両面の粘着テープにしても良い。
【００２８】
容器１は、全部又は一部が透明又は半透明であれば良く、例えば、絵画、写真、図形、記号、文字及びキャラクターその他の模様が印刷されても良い。容器１は、細長い筒状のフィルムの両端を溶着して密封しているが、図４に示すように２枚のフィルムを用意してその縁全体を溶着して形成しても良い。容器１は、縁全体を溶着することで、用意するフィルムの形状を選択することができる。例えば、ハート形状、星形状、動物の輪郭の形状等その他の形状を容器１の形状とすることができる。容器１は、ドライフラワーＦだけでなく、生花を入れても良いし、リボン、合成樹脂、金属、宝石、ガラス、貝、水晶、木及び鉱物その他の装飾物を入れても良い。
【符号の説明】
【００２９】
１  容器
【図１】
2020186011.tif 000003
【図２】
2020186011.tif 000004
【図３】
2020186011.tif 000005
【図４】
2020186011.tif 000006